(57)【要約】  １つ以上のトレー保持部および支持スタンドを有する容器が記載される。例えば、容器は、底部から垂直に延びる複数の本体壁を含む実質的に中空の本体と、前記複数の本体壁のうちの一つの本体壁の外向き表面に回転可能に結合された延長部と、遠位端と前記本体壁の前記外向き表面に結合された近位端とを有する支持スタンドとを含み、前記延長部は、前記延長部が前記本体壁から外向きに延びる動作位置まで回転するように構成され、前記支持スタンドは、少なくとも、前記支持スタンドが前記本体壁の前記外向き表面に接して、またはその近傍に位置する収納位置と、前記支持スタンドが前記本体壁から外向きに延びる支持位置との間を移動するように構成されている。
2021534868.tif 000002
【特許請求の範囲】
【請求項１】
底部から縦に延びる複数の本体壁を含む実質的に中空の本体と、
前記複数の本体壁のうちの一つの本体壁の外向き表面に回転可能に結合された延長部と、
遠位端および前記本体壁の前記外向き表面に結合された近位端を有する支持スタンドと、を備え、
前記延長部は、前記延長部が前記本体壁から外向きに延びる動作位置まで回転するように構成され、
前記支持スタンドは、少なくとも、前記支持スタンドが前記本体壁の前記外向き表面に接して、または前記外向き表面の近傍に位置する収納位置と、前記支持スタンドが前記本体壁から外向きに延びる支持位置との間で移動するように構成され、
前記支持スタンドが前記支持位置にあるときには、前記支持スタンドの前記遠位端は、前記支持スタンドが前記延長部の下方への回転を防止するように、前記延長部の下側と係合する、容器。
【請求項２】
前記延長部が、少なくとも、前記動作位置と、前記延長部が前記本体壁の前記外向き表面に接して、または前記外向き表面の近傍に位置する非動作位置と、の間で回転するようにさらに構成される、請求項１に記載の容器。
【請求項３】
前記支持スタンドの前記遠位端が前記延長部の前記下側と係合するような前記支持位置に、前記支持スタンドがあるとき、前記延長部と前記本体壁との間に形成される角度はほぼ９０度に等しく、かつ、前記支持スタンドと前記本体壁との間に形成される角度は９０度よりも小さい、請求項１に記載の容器。
【請求項４】
前記延長部が、横方向に延びるクロスバーを介して接続された一対の外向きに延在するアームを含むハンドルである、請求項１に記載の容器。
【請求項５】
前記アームおよび前記クロスバーの上面が、実質的に平坦で延びた表面を有するトレーを取り外し可能に保持するように構成された外部トレー保持部を形成し、かつ、
前記支持スタンドが前記支持位置にあって前記外部トレー保持部が前記トレーを保持するとき、前記支持スタンドが前記トレーおよび前記延長部のための支持を提供する、請求項４に記載の容器。
【請求項６】
前記トレーの横方向の動きを防止するように、前記外部トレー保持部が前記トレーの下面と係合する、請求項５に記載の容器。
【請求項７】
前記支持スタンドが前記支持位置にあるとき、前記延長部に加えられた下向きの力が前記支持スタンドを通じて前記本体壁に伝わるように、前記支持スタンドが前記延長部のための支持を提供する、請求項１に記載の容器。
【請求項８】
前記支持スタンドの前記近位端が前記本体壁に回転可能に連結され、前記支持スタンドが少なくとも、前記収納位置と前記支持位置との間で回転するように構成される、請求項１に記載の容器。
【請求項９】
前記延長部の前記下側に形成されたくぼみ部をさらに備え、前記支持スタンドが前記支持位置にあるとき、前記くぼみ部が前記支持スタンドの前記遠位端と係合するように構成される、請求項１に記載の容器。
【請求項１０】
前記支持スタンドの前記遠位端が、前記延長部の前記下側と係合するように構成された横方向に延びるクロスバーを含む、請求項１に記載の容器。
【請求項１１】
前記支持スタンドが前記収納位置にあるとき、前記支持スタンドと前記延長部とが互いに連結されていない、請求項１に記載の容器。
【請求項１２】
前記支持スタンドの前記遠位端が、前記延長部の前記下側にボルト留めされている、請求項１に記載の容器。
【請求項１３】
前記支持スタンドは、前記支持スタンドが前記収納位置にあるときには十分にヒンジで曲がり、前記支持スタンドが前記支持位置にあるときには十分に延びるように構成されたヒンジ部を含む、請求項１に記載の容器。
【請求項１４】
前記支持スタンドが前記収納位置にあり、かつ、前記延長部が前記本体壁の前記表面に接して、または前記表面の近傍に位置する非動作位置に、前記延長部があるとき、前記延長部は、前記支持スタンドを少なくとも部分的に隠す、請求項１に記載の容器。
【請求項１５】
前記延長部が実質的に平坦で延びた表面を有するトレーである、請求項１に記載の容器。
【請求項１６】
底部から縦に延びる複数の本体壁を含む実質的に中空の本体と、
前記複数の本体壁のうちの一つの本体壁の上部に回転可能に連結される蓋と、
実質的に平坦で延びた表面を有するトレーを取り外し可能に保持するように構成され前記蓋の下側に形成される内部トレー保持部と、を備え、
前記蓋は、前記複数の本体壁により形成される前記本体の開口を可逆的に閉じるように構成され、
前記内部トレー保持部は、前記蓋の前記下側の周縁領域の対向する辺にそれぞれ形成される第一レールおよび第二レールを少なくとも含み、前記第一レールおよび前記第二レールは、前記トレーを受けて保持するように形成される、容器。
【請求項１７】
前記第一レールおよび前記第二レールに垂直で、前記蓋の前記下側の前記周縁領域上に形成された第三レールを、前記内部トレー保持部がさらに含む、請求項１６に記載の容器。
【請求項１８】
前記第一レールおよび前記第二レールに垂直であり、前記第三レールに平行であり、かつ、前記蓋の前記下側の前記周縁領域の内側に形成された、細長い突出部を、前記内部トレー保持部がさらに含む、請求項１７に記載の容器。
【請求項１９】
前記第一レール、前記第二レール、前記第三レール、および前記突出部によって形成される形状が、前記トレーの形状に実質的に対応する、請求項１８に記載の容器。
【請求項２０】
前記第一レールおよび前記第二レールが、前記第三レールを介して接続される、請求項１７に記載の容器。
【請求項２１】
前記第一レール、前記第二レール、および前記第三レールが、互いに物理的に分離されている、請求項１７に記載の容器。
【請求項２２】
底部から縦に延びる複数の本体壁を含む実質的に中空の本体と、
実質的に平坦で延びた表面を有する取り外し可能なトレーと、
前記複数の本体壁の上部に回転可能に連結された蓋と、
前記複数の本体壁のうちの１つの本体壁の外向き表面に回転可能に結合されたハンドルと、
遠位端と前記本体壁の前記外向き表面に結合された近位端とを有する支持スタンドと、
前記トレーを取り外し可能に保持するように構成された前記蓋の下側に形成された内部トレー保持部と、
前記トレーを取り外し可能に保持するように構成された前記ハンドルの上面に形成された外部トレー保持部と、を備え、
前記蓋は、前記複数の本体壁によって形成される前記本体の開口を可逆的に閉じるように構成され、
前記ハンドルは、前記ハンドルが前記本体壁から外向きに延在する動作位置まで回転するように構成され、
前記支持スタンドは、少なくとも、前記支持スタンドが前記本体壁の前記外向き表面に接して、または前記外向き表面の近傍に位置する収納位置と、前記支持スタンドが前記本体壁から外向きに延び、前記ハンドルの下面と係合する支持位置との間で移動するように構成され、
前記支持スタンドは、前記支持スタンドが前記支持位置にあり、かつ、前記外部トレー保持部が前記トレーを保持するとき、前記支持スタンドが前記ハンドルの下方への回転を防止するように、前記トレーおよび前記ハンドルのための支持を提供する、容器システム。
【発明の詳細な説明】
【技術分野】
【０００１】
〔関連出願〕
本出願は、２０１８年８月２１日に出願された、「１つ以上のトレー保持部および支持スタンドを有する容器」と題される米国仮特許出願第６２／７２０，４６６号の非仮特許出願であり、米国特許法１１９条の下でこの仮出願に基づく優先権を主張し、その全内容は本明細書に参照により援用される。
【０００２】
本開示は一般に容器に関し、より詳しくは、１つ以上のトレー保持部および１つの支持スタンドを有する容器に関する。
【背景技術】
【０００３】
クーラー、アイスボックス等のような容器は、食品や飲料を持ち運び可能に貯蔵する能力ゆえに、ピクニックにしばしば使用される。多くのピクニックの最中、カウンタースペースがないことで食事の準備または提供の能力が制限される、という共通の不便が生じる。使用者は多くの場合、食事の準備、器具の保管ならびに、食品および飲料の提供などを行うトレーを持参することで、この問題を解決する。
【発明の概要】
【発明が解決しようとする課題】
【０００４】
しかしながら、従来の容器は、使用中にこれらのトレーをしっかりと保持する能力に欠ける。使用者は例えば、所定の位置にトレーを固定するための手段もないままトレーを容器の上に置いたり、トレーを地面に置いたり、あるいはトレーを膝の上に保持したりする。さらに、従来の容器はトレーが使用されていない間、例えば容器の輸送中に、トレーを確実に保管する能力に欠ける。
【課題を解決するための手段】
【０００５】
本開示は、内部トレー保持部および外部トレー保持部などの、１つ以上のトレー保持部を含むことができる容器を提供する。前記内部トレー保持部は前記容器の蓋に形成することができ、その中に前記トレーを受けて保持するように、前記蓋の下側にそれぞれ形成された、少なくとも第一のレールおよび第二のレールを含むことができる。前記外部トレー保持部は、前記容器壁のうちの１つの外向き表面に回転可能に結合された、ハンドルのような延長部の上面に形成することができる。前記容器は、前記容器壁のうちの１つの前記外向き表面に結合された支持スタンドをさらに含むことができる。使用時には、前記支持スタンドは、前記延長部の下方への回転を防止することによって、前記延長部の支持を提供することができる。
【０００６】
本開示の実施形態によれば、容器は、底部から縦に延びる複数の本体壁を含む実質的に中空の本体と、前記複数の本体壁のうちの一つの本体壁の外向き表面に回転可能に結合された延長部と、遠位端と前記本体壁の前記外向き表面に結合された近位端と、を有する支持スタンドと、を含むことができ、前記延長部は、前記延長部が前記本体壁から外向きに延びる動作位置まで回転するように構成され、前記支持スタンドは、少なくとも、前記支持スタンドが前記本体壁の前記外向き表面に接して、または前記外向き表面の近傍に位置する収納位置と、前記支持スタンドが前記本体壁から外向きに延びる支持位置との間で移動するように構成されることができる。前記支持スタンドが前記支持位置にあるとき、前記支持スタンドの前記遠位端は、前記支持スタンドが前記延長部の下方への回転を防止するように、前記延長部の下側と係合することができる。
【０００７】
前記延長部は、少なくとも、前記動作位置と、前記延長部が前記本体壁の前記外向き表面に接して、または前記外向き表面の近傍に位置する非動作位置との間で回転するように、さらに構成することができる。
【０００８】
前記支持スタンドの前記遠位端が前記延長部の前記下側と係合するように、前記支持スタンドが前記支持位置にあるとき、前記延長部と前記本体壁との間に形成される角度はほぼ９０度に等しくすることができ、前記支持スタンドと前記本体壁との間に形成される角度は、９０度未満とすることができる。
【０００９】
前記延長部は、横方向に延在するクロスバー（横棒）を介して接続された、一対の外側に延在するアームを含むハンドルとすることができる。この点に関して、前記アームおよび前記クロスバーの上面は、実質的に平坦で延びた表面を有するトレーを取り外し可能に保持するように構成された外部トレー保持部を形成することができる。前記支持スタンドが前記支持位置にあり、かつ、前記外部トレー保持部が前記トレーを保持するとき、前記支持スタンドは、前記トレーおよび前記延長部のための支持を提供することができる。また、前記外部トレー保持部は、前記トレーの横方向の移動を防止するように、前記トレーの下面と係合することができる。
【００１０】
前記支持スタンドが前記支持位置にあるとき、前記支持スタンドは、前記延長部に加えられた下向きの力が前記支持スタンドを通じて前記本体壁に伝わるように、前記延長部の支持を提供することができる。
【００１１】
前記支持スタンドの前記近位端は、前記本体壁に回転可能に連結することができ、前記支持スタンドは少なくとも、前記収納位置と前記支持位置との間で回転するように構成することができる。
【００１２】
前記容器は前記延長部の前記下側に形成されたくぼみ部をさらに含むことができ、前記くぼみ部は、前記支持スタンドが前記支持位置にあるとき、前記支持スタンドの前記遠位端と係合するように構成されることができる。
【００１３】
前記支持スタンドの前記遠位端は、前記延長部の前記下面と係合するように構成された横方向に延在するクロスバーを含むことができる。
【００１４】
前記支持スタンドが前記収納位置にあるとき、前記支持スタンドと前記延長部とは、互いに連結されないものとすることができる。
【００１５】
前記支持スタンドの前記遠位端は、前記延長部の前記下側にボルト止めすることができる。
【００１６】
前記支持スタンドは、前記支持スタンドが前記収納位置にあるときには十分にヒンジで曲がり、前記支持スタンドが前記支持位置にあるときに十分に延びるように構成されたヒンジ部を含むことができる。
【００１７】
前記支持スタンドが前記収納位置にあり、かつ、前記延長部が、前記延長部が本体壁の前記表面に接して、または前記表面の近傍に位置する非動作位置にあるとき、前記延長部は、前記支持スタンドを少なくとも部分的に隠すことができる。
【００１８】
前記延長部は、実質的に平坦で延びた表面を有するトレーとすることができる。
【００１９】
さらに、本開示の実施形態によれば、容器は、底部から縦に延びる複数の本体壁を含む実質的に中空の本体と、前記複数の本体壁のうちの一つの本体壁の上部に回転可能に連結されるか、または上部から取り外し可能な蓋と、実質的に平坦で延びた表面を有するトレーを取り外し可能に保持するように構成される、前記蓋の下側に形成される内部トレー保持部と、を含むことができ、前記蓋は、前記複数の本体壁によって形成される前記本体の開口を可逆的に閉じるように構成され、前記内部トレー保持部は、前記蓋の前記下側の周縁領域の対向する辺にそれぞれ形成される、少なくとも第一のレールと第二のレールを含み、前記第一レールおよび前記第二レールは、その中に前記トレーを受けて、保持するように形成されることができる。
【００２０】
前記内部トレー保持部は、前記第一レール及び前記第二レールに垂直であり、前記蓋の前記下側の前記周縁領域上に形成された第三のレールを更に含むことができる。
【００２１】
前記内部トレー保持部はさらに、前記第一レール及び前記第二レールに垂直であり、前記第三レールに平行であり、かつ前記蓋の前記下側の前記周縁領域の内側に形成された、細長い突出部を含むことができる。
【００２２】
前記第一レール、前記第二レール、前記第三レール、及び前記突出部によって形成される形状は、前記トレーの形状に実質的に対応することができる。
【００２３】
前記第一レールと前記第二レールは、前記第三レールを介して接続される。代わりに、前記第一レール、前記第二レール、および前記第三レールは互いに物理的に分離することができる。
【００２４】
さらに、本開示の実施形態によれば、容器システムは、底部から縦に延びる複数の本体壁を含む実質的に中空の本体と、実質的に平坦で延びた表面を有する取り外し可能なトレーと、前記複数の本体壁の上部に回転可能に結合されるか、または取り外し可能な蓋と、前記複数の本体壁のうちの一つの本体壁の外向き表面に回転可能に結合されるハンドルと、遠位端および前記本体壁の前記外向き表面に結合される近位端を有する支持スタンドと、前記トレーを取り外し可能に保持するように構成された前記蓋の下側に形成された内部トレー保持部と、前記トレーを取り外し可能に保持するように構成された前記ハンドルの上面に形成された外部トレー保持部と、を含むことができ、前記蓋は、前記複数の本体壁によって形成される前記本体の開口を可逆的に閉鎖するように構成され、前記ハンドルは、前記ハンドルが前記本体壁から外向きに延在する動作位置まで回転するように構成され、前記支持スタンドは、少なくとも、前記支持スタンドが前記本体壁の前記外向き表面に接して、または前記外向き表面の近傍に位置する収納位置と、前記支持スタンドが前記本体壁から外向きに延び、前記ハンドルの下面と係合する支持位置との間で移動するように構成されることができる。前記支持スタンドが前記支持位置にあり、かつ、前記外部トレー保持部が前記トレーを保持するとき、前記支持スタンドは、前記支持スタンドが前記ハンドルの下方への回転を防止するように、前記トレーおよび前記ハンドルのための支持を提供することができる。
【図面の簡単な説明】
【００２５】
本明細書の実施形態は添付の図面と併せて以下の説明を参照することによって、より良く理解することができ、添付の図面では、同様の参照番号が同一または機能的に同様の要素を示す。
【図１Ａ】回転可能な延長部を有する容器の図を含む。
【図１Ｂ】回転可能な延長部を有する容器の図を含む。
【図１Ｃ】回転可能な延長部を有する容器の図を含む。
【図２Ａ】回転可能な支持スタンドを有する図１の前記容器の図を含む。
【図２Ｂ】回転可能な支持スタンドを有する図１の前記容器の図を含む。
【図３Ａ】支持スタンドが延長部と係合している、図１の前記容器の図を含む。
【図３Ｂ】支持スタンドが延長部と係合している、図１の前記容器の図を含む。
【図４】図３Ｂの線Ａ-Ａに沿った、前記延長部と係合する前記支持スタンドの断面図である。
【図５Ａ】前記延長部に形成された外部トレー保持部上に載せられたトレーを有する、図１の前記容器の図を含む。
【図５Ｂ】前記延長部に形成された外部トレー保持部上に載せられたトレーを有する、図１の前記容器の図を含む。
【図６】蓋の下側に形成された内部トレー保持部を有する、図１の前記容器の斜視図である。
【図７】図６の前記内部トレー保持部の拡大斜視図である。
【図８Ａ】図６の前記蓋および前記内部トレー保持部の分離斜視図を含む。
【図８Ｂ】図６の前記蓋および前記内部トレー保持部の分離斜視図を含む。
【図９Ａ】図６の前記内部トレー保持部に挿入されるトレー、の斜視図を含む。
【図９Ｂ】図６の前記内部トレー保持部に挿入されるトレー、の斜視図を含む。
【図１０Ａ】追加の延長部および支持スタンドを有する図１の前記容器の斜視図を含む。
【図１０Ｂ】追加の延長部および支持スタンドを有する図１の前記容器の斜視図を含む。
【図１０Ｃ】追加の延長部および支持スタンドを有する図１の前記容器の斜視図を含む。
【００２６】
上記で参照された図面は、必ずしも一定の縮尺ではなく、本開示の基本原理を例示する様々な好ましい特徴のいくらか簡略化された表現を提示することを理解されたい。例えば、特定の寸法、向き、位置、および形状を含む、本開示の特定の設計特徴は、特定の意図される用途および使用環境によって部分的に決定される。
【発明を実施するための形態】
【００２７】
以下、本発明の実施の形態について、添付の図面を参照しながら詳細に説明する。当業者が理解するように、記述された実施形態は、全て本開示の精神または範囲から逸脱することなく、種々異なる方法で修正されてもよい。さらに、本明細書全体を通して、同様の参照番号は、同様の要素を指す。
【００２８】
本明細書で使用される用語は特定の実施形態を説明するためだけのものであり、本開示を限定することを意図するものではない。本明細書で使用されるように、単数形「ａ」、「ａｎ」、および「ｔｈｅ」は文脈にそわないことが明確に示されない限り、複数形も含むことが意図される。用語「備える」および／または「備えている」が本明細書で使用される場合、述べられた特徴、整数、工程、動作、要素、および／または構成部品の存在を指定するが、１つ以上の他の特徴、整数、工程、動作、要素、構成部品、および／またはそれらのグループの存在または追加を排除しないことがさらに理解されるだろう。本明細書にて使用されるように、「および／または」の用語は、１つ以上の関連する列挙した項目の任意およびすべての組み合わせを含む。
【００２９】
ここで本開示の実施形態を参照すると、クーラー、アイスボックスなどの開示された容器は、実質的に平坦な延びた表面をもつ、取り外し可能なトレーをしっかりと受けとめ、保持するための１つ以上のトレー保持部を含むことができる。前記１つ以上のトレー保持部は例えば、内部トレー保持部および／または外部トレー保持部を含むことができる。前記容器はとりわけ、外部トレー保持部の重量を支持するために、容器壁に結合された支持スタンドを含むことができる。その結果、使用者は食事の準備、器具の保管、ならびに、食品または飲み物の提供などの補助とするために、トレーを確実かつ便利に利用し、保管することができる。
【００３０】
図１Ａ〜１Ｃは、回転可能な延長部１２０を有する容器１００の図を含む。図１Ａ〜図１Ｃに示すように、容器１００は、底部１１１から縦（垂直）に延びる複数の本体壁１１２を含む実質的に中空の本体１１０を含むことができる。容器１００は、本体壁１１２の上部に回転可能に連結された蓋１０２をさらに含むことができる。蓋１０２は、１つ以上のピン、ヒンジ、ジョイント、ピボットなどの回転結合手段を介して本体壁１１２に結合されることができ、また複数の本体壁１１２および底部１１１によって形成される本体１１０の開口６１５（図６）を可逆的に閉じるべく、回転することができる。
【００３１】
容器１００は、本体壁１１２の外向き表面に回転可能に連結された延長部１２０をさらに含むことができる。延長部１２０が特定の本体壁１１２に結合されたものとして図１Ａ〜図１Ｃに示されているが、延長部１２０は本体１１０のいずれの本体壁１１２にも結合されることができる。
【００３２】
延長部１２０は例えば、図１Ａ〜１Ｃに示されるようなハンドルであることができ、使用者が容器１００を便利に引いたり押したりすることを可能にする。この目的のために、延長部１２０を介して引かれたり押されたりする間に容器本体１１０が転がることができるように、容器１００は１つ以上のホイール１０５を含むことができる。延長部１２０、すなわちハンドルは例えば、図３Ａに示されるように、遠位（先端）の、横向きに延びるクロスバー（横棒）１２６（図３Ａ）（例えば、ハンドルを握るため）を介して接続される、一対の外向きに延びるアーム１２４（図３Ａ）を含むことができる。ハンドル１２０はまた、遠位のクロスバー１２６よりも近位に配置された追加の横方向に延びるクロスバーを含むことができる。さらに、以下により詳細に記載されるように（例えば、図５Ａおよび５Ｂを参照のこと）、アーム１２４およびクロスバー１２６の上面は、実質的に平坦で延びた表面を有するトレー１４０を取り外し可能に保持するように構成される、外部トレー保持部２００を形成し得る。
【００３３】
延長部１２０は１つ以上のピン、ヒンジ、ジョイント、ピボットなどの回転接続部を介して、本体壁１１２に接続されることができる。そして、延長部１２０は少なくとも、延長部１２０が本体壁１１２の外向き表面に接して、あるいは外向き表面の近傍に位置する非動作位置６２１（図６）と、延長部１２０が本体壁１１２から外向きに延びる動作位置１２３との間で、回転することができる。延長部１２０が収納される非動作位置６２１（図６）では、延長部１２０と本体壁１１２との間に形成される角度は約０度、すなわち、本体壁１１２に平行である。延長部１２０が使用に供するべく本体壁１１２から上方に回転した動作位置１２３では、延長部１２０と本体壁１１２との間に形成される角度は０度よりも大きい任意の角度とすることができる。動作位置１２３により、使用者は延長部１２０を掛ける（例えば、図１Ｃに示すように容器１２０を引っ張る）ことができる。
【００３４】
容器１００は、延長部１２０がある点を越えて上方に回転するのを防止するハードストップ１２２を含むことができる。例えば、図１Ｂに示すように、ハードストップ１２２は、延長部１２０が本体壁１１２に対して１０５度を超えて回転するのを防止することができる。しかしながら、図１Ｂに示される例は説明の目的のためにのみ提供されるのであり、そして、延長部１２０の１０５度を超えた（例えば、１１０度など）回転、または１０５度未満（例えば、１００度など）の回転をハードストップ１２２が許容するよう、容器１００は変形されることができるのだということを理解されたい。
【００３５】
容器１００は、延長部１２０の下に、本体壁１１２上に配置された支持スタンド１３０をさらに含むことができる。支持スタンド１３０は、所望の位置へと上方又は下方に揺動するように本体壁１１２に接続することができる。特定の例示的な実施形態によれば、支持スタンド１３０および延長部１２０は、同じ本体壁１１２に結合される。
【００３６】
説明のために、図２Ａおよび２Ｂは、回転可能な支持スタンド１３０を有する容器１００の図を含む。図２Ａおよび図２Ｂに示されるように、支持スタンド１３０の近位端は、本体壁１１２の外向き表面に連結され得る。支持スタンド１３０の近位端は、１つ以上のピン、ヒンジ、ジョイント、ピボットなどの回転接続部を介して本体壁１１２に接続されることができ、少なくとも、支持スタンド１３０が本体壁１１２の外向き表面に接して、あるいは外向き表面の近傍に位置する収納位置１３１と、支持スタンド１３０が本体壁１１２から外向きに延びる支持位置２３３との間で、支持スタンド１３０が回転することを可能にすることができる。
【００３７】
支持スタンド１３０は、使用されていないときには、図１Ａ〜１Ｃに示すように、収納位置１３１に移動させることができ、それによって支持スタンド１３０は本体壁１１２の外向き表面に接して、または外向き表面の近傍に位置することができる。ここで、支持スタンド１３０は、本体壁１１２に接して実質的に平坦に配置することができる。同様に、延長部１２０はそれが使用されていないとき（すなわち、非動作位置６２１（図６））に、本体壁１１２の外向き表面に接して、または外向き表面の近傍に位置することができる。
【００３８】
延長部１２０および支持スタンド１３０の両方が本体壁１１２に接するように収納されるとき、延長部１２０および支持スタンド１３０は図６に示されるように、互いに実質的に平行であり得る。また、このような位置では延長部１２０が、図６に示すように、支持スタンド１３０の上方に配置される延長部１２０によって支持スタンド１３０を少なくとも部分的に隠すことができるけれども、延長部１２０は必ずしも支持スタンド１３０を隠さなくともよい。
【００３９】
いくつかの例では、支持スタンド１３０は、（例えば、図１Ａ〜図１Ｃに示すように）収納位置１３１において延長部１２０に接続されないように構成することができる。他の例では、支持スタンド１３０は、（例えば、図１０Ａ〜１０Ｃに示すように）収納位置１３１において延長部１２０に接続されるように構成することができる。
【００４０】
一方、支持スタンド１３０が支持位置２３３にあるとき、図２Ｂに示すように、支持スタンド１３０は本体壁１１２から外方に延在することができ、支持スタンド１３０の遠位端（先端）は、支持スタンド１３０が延長部１２０の下向き回転を阻止するように、延長部１２０の下側と係合することができる。図２Ｂに示すように、支持スタンド１３０の遠位端が延長部１２０の下側と係合するとき、延長部１２０と本体壁１１２との間に形成される角度はほぼ９０度に等しくなり得る、一方、支持スタンド１３０と本体壁１１２との間に形成される角度は９０度未満になり得る。
【００４１】
支持スタンド１３０が延長部１２０の位置に関連して取り付けられた、本体壁１１２上の位置に基づいて、支持スタンド１３０と本体壁１１２との間に形成される角度は、変化し得る。すなわち、支持スタンド１３０の近位端と延長部１２０の近位端（延長部１２０が本体壁１１２に結合されている箇所）との間の距離が増加するにつれて、支持スタンド１３０と本体壁１１２との間に形成される角度は減少し得る。支持スタンド１３０の近位端と延長部１２０の近位端との間の距離が減少するにつれて、支持スタンド１３０と本体壁１１２との間に形成される角度は増加し得る。
【００４２】
支持スタンド１３０が支持位置２３３にあるとき、延長部１２０に加えられる下向きの力（例えば、延長部１２０の上に物を置く、延長部１２０を強制的に押し下げるなど）が支持スタンド１３０を通じて本体壁１１２に伝達されるように、支持スタンド１３０は延長部１２０の支持を提供することができる。したがって、支持スタンド１３０は延長部１２０の下方への回転を防止することができ、延長部１２０の位置決めを強化し、その偶発的な崩れを排除することができる。
【００４３】
さらに詳細には、図３Ａおよび３Ｂは延長部１２０と係合する支持スタンド１３０の図を含む。図４は、図３Ｂの線Ａ-Ａに沿った延長部１２０と係合する支持スタンド１３０の断面図である。図３Ａ、図３Ｂおよび図４に示すように、支持スタンド１３０の遠位端は、延長部１２０の下側と係合して、延長部１２０の下向き回転を防止することができる。延長部１２０の下側と係合するように構成された遠位部材、例えば横方向に延びるクロスバー１３６、に連結された、１つ以上の外向きに延びるアーム１３４を、支持スタンド１３０は含むことができる。支持スタンド１３０のアーム１３４は図３Ａおよび図３Ｂでは剛体として示されているけれども、アーム１３４は以下でより詳細に説明するように（例えば、図１０Ａ〜図１０Ｃを参照）、代わりに、１つ以上のヒンジ部を含むように形成することができる。
【００４４】
延長部１２０は、延長部１２０の下側に形成されたくぼみ部１２８を含むことができる。延長部１２０のくぼみ部１２８は、支持スタンド１３０が支持位置２３３にあるときに、支持スタンド１３０の遠位端１３６を受け入れ、遠位端１３６に係合するように形成することができる。支持スタンド１３０が延長部１２０から偶発的に係合解除されるのを防止するよう、くぼみ部１２８は支持スタンド１３０の遠位端１３６の形状に実質的に対応する溝（または「ポケット」）を含むことができる。
【００４５】
上述のように、アーム１２４およびクロスバー１２６の上面は、トレー１４０（図５Ａ）を取り外し可能に保持するように構成された外部トレー保持部２００を形成することができる。したがって、延長部１２０が本体壁１１２に対してほぼ垂直になるように、支持スタンド１３０が延長部１２０の重量を支持する支持位置２３３にあるとき、トレー１４０（図５Ａ）を外部トレー保持部２００上にしっかりと配置することができ、食事の準備、器具の保管、食品および飲料の提供などのために、使用者はトレー１４０（図５Ａ）を使用することができる。
【００４６】
この点に関して、図５Ａおよび５Ｂは、延長部１２０に形成された外部トレー保持部２００を有する容器１００の図を含む。図５Ａおよび５Ｂに示されるように、取り外し可能なトレー１４０は、外部トレー保持部２００上に配置され、しっかりと保持されることができる。外部トレー保持部２００は、延長部１２０のアーム１２４およびクロスバー１２６の上面によって形成することができる。これにより、図５Ａおよび５Ｂに示すように、支持スタンド１３０が支持位置２３３にあり、外部トレー保持部２００がトレー１４０を保持するとき、支持スタンド１３０はトレー１４０と延長部１２０との総重量を支持することができる。
【００４７】
トレー１４０は、任意の適切な方法で構成することができる。例えば、トレー１４０は、実質的に平坦な延びた表面、１つ以上の横方向の隆起部、１つ以上のカップホルダー、隆起壁、またはそれらの任意の組み合わせなどといった、任意の数と種類の特徴を含むように形成することができる。また、トレー１４０の寸法は、設計者の好みに応じて変更することができる。
【００４８】
外部トレー保持部２００は、トレー１４０の横方向の運動（すなわち、ｘ方向またはｙ方向の運動）を防止するように、トレー１４０の下側と係合することができる。一例として、延長部１２０のアーム１２４およびクロスバー１２６の壁にスナップ留めするために、トレー１４０はトレー１４０の下側に１つ以上の特徴（図示せず）を形成されてもよい。
【００４９】
外部トレー保持部２００に加えて、またはその代わりに、容器１００は、トレー１４０を取り外し可能に保持するための内部トレー保持部３００（図６）を含むように形成することができる。これに関して、図６は蓋１０２の下側に形成された内部トレー保持部３００を有する容器１００の斜視図であり、図７は、内部トレー保持部３００の拡大斜視図である。図６および図７に示すように、内部トレー保持部３００は、蓋１０２の下側（下面）の周縁領域の対向する側（側面、辺）にそれぞれ形成された細長い第一レール１５０および細長い第二レール１５２を、少なくとも含むことができる。レール１５０、１５２は、例えばブロー成形プロセスを用いて蓋１０２に形成することができる。代わりに、レール１５０、１５２は射出成形プロセスを使用して形成することができる。
【００５０】
第一レール１５０および第二レール１５２は、トレー１４０をその中に受け入れ、そして保持するように形成することができる。第一レール１５０と第二レール１５２との間の距離は、例えばおよそトレー１４０の幅相当とすることができる。図９Ａおよび図９Ｂに示すように、トレー１４０がレール１５０、１５２の下（すなわち、レール１５０、１５２と蓋１０２の下面との間）を先端方向にスライドできるように、レール１５０、１５２の各々は蓋１０２の内周壁から外向きに突出することができる。第一レール１５０及び第二レール１５２によって、トレー１４０の少なくとも２つの側面をレール１５０、１５２の下に固定することができる。
【００５１】
また、内部トレー保持部３００は、蓋１０２の下側の周縁領域上に形成された、第一レール１５０及び第二レール１５２に対して垂直な細長い第三レール１５４を含むことができる。第一レール１５０及び第二レール１５２と同様に、トレー１４０が第三レール１５４の下にスライドすることができるように、第三レール１５４は蓋１０２の内周壁から外向きに突出することができる。第一レール１５０、第二レール１５２および第三レール１５４によって、トレー１４０の少なくとも３つの側面を、第一レール１５０、第二レール１５２および第三レール１５４の下に固定することができる。
【００５２】
さらに、内部トレー保持部３００はまた、トレー１４０の偶発的な放出を防止するための「ハードストップ」として作用する、蓋１０２に形成された細長い突出部１５６を含むことができる。この点に関して、図８Ａおよび８Ｂは、蓋１０２および内部トレー保持部３００の分離した図を含む。図８Ａおよび図８Ｂに示すように、突出部１５６は、蓋１０２の下側の周縁領域の内側に形成することができる。突出部１５６は、第一レール１５０及び第二レール１５２に対して垂直に、かつ、第三レール１５４に対して平行に配置することができる。突出部１５６は、トレー１４０が内部トレー保持部３００に挿入されている間、トレー１４０の側面に当接するように、蓋１０２の内面から突出することができる。このようにして、突出部１５６により、トレー１４０が近位（中央）方向にスライドし、内部トレー保持部３００から偶発的に抜け出ることを防止することができる。トレー１４０を内部トレー保持部３００から解放するために、使用者は手動で、トレー１４０を突出部１５６上に持ち上げ、トレー１４０を近位方向に引き出すことができる。
【００５３】
第一レール１５０、第二レール１５２、第三レール１５４、及び突出部１５６によって形成される形状が、トレー１４０の形状に実質的に対応するように、内部トレー保持部３００は構成されることができる。いくつかの構成では、第一レール１５０、第二レール１５２、及び第三レール１５４は図６及び図７に示すように、互いに物理的に分離することができる。他の構成では、図８Ａ及び図８Ｂに示すように、第一レール１５０及び第二レール１５２は第三レール１５４を介して接続することができる。
【００５４】
図９Ａおよび９Ｂは、内部トレー保持部３００に挿入されるトレー１４０の図を含む。図９Ａおよび９Ｂに示されるように、トレー１４０の遠位端が第三レール１５４によって少なくとも部分的に覆われるまで、第一レール１５０および第二レール１５２の下で、蓋１０２の内面に沿って、遠位方向（すなわち、挿入方向）に、トレー１４０はスライドすることができる。内部トレー保持部３００が第三レール１５４を含まない場合、トレー１４０の遠位端は蓋１０２の遠位内壁に当接することができる。ここで、トレー１４０の近位端は（内部トレー保持部３００が突出部１５６を備える場合に）突出部１５６に当接することができ、トレー１４０が近位方向（すなわち、抜き出し方向）にスライドして、誤って内部トレー保持部３００から脱落することを防止することができる。したがって、トレー１４０は蓋１０２に接して容器１００の内側に保管することができ、トレー１４０の便利な保管および輸送が可能となる。
【００５５】
図１０Ａ〜１０Ｃは、追加の延長部１６０および支持スタンド１７０を有する容器１００の図を含む。図１０Ａ〜１０Ｃに示されるように、容器１００は追加的に、または代替的に、実質的に平坦な延びた表面を有するトレー様延長部１６０を含むことができる。延長部１６０は、本体１１０の本体壁１１２の外向き表面に回転可能に連結することができる。一例では、図１０Ａ〜１０Ｃに示すように、延長部１６０は容器１００の、延長部１２０とは反対の側に配置することができる。
【００５６】
延長部１２０と同様に、延長部１６０は１つ以上のピン、ヒンジ、ジョイント、ピボットなどの回転接続部を介して、本体壁１１２に接続することができて、少なくとも、延長部１６０が本体壁１１２の外向き表面に接して、または外向き表面の近傍に位置する非動作位置１０２１と、延長部１６０が本体壁１１２から外向きに延びる動作位置１０２３と、の間で回転することができる。非動作位置１０２１では、図１０Ａに示されるように、延長部１６０が収納され、延長部１６０と本体壁１１２との間に形成される角度が約０度、すなわち、本体壁１１２に平行であることができる。動作位置１０２３では、図１０Ｃに示すように、延長部１６０が、使用に供するために本体壁１１２から上方に回転し、延長部１６０と本体壁１１２との間に形成される角度は０度よりも大きい任意の角度であることができ、通常約９０度であることができる。動作位置１０２３は、食品の準備、器具の保管などのための外部トレーとして、使用者が延長部１６０を利用することを可能にすることができる。
【００５７】
また、容器１００は追加的に又は代替的に、延長部１６０の下の本体壁１１２上に配置されたヒンジ付き支持スタンド１７０を含むことができる。支持スタンド１７０は、所望の位置へと上方又は下方に枢動（ピボット回転）するように、本体壁１１２に接続することができる。支持スタンド１７０の近位端は、１つ以上のピン、ヒンジ、ジョイント、ピボットなどのピボット接続を介して、本体壁１１２の外向き表面に接続することができて、少なくとも、支持スタンド１７０が本体壁１１２の外向き表面に接して、または外向き表面の近傍に位置する収納位置（図示せず）と、支持スタンド１７０が本体壁１１２から外向きに延びる支持位置１７３との間で、支持スタンド１７０が枢動することを可能にすることができる。
【００５８】
支持スタンド１７０は、使用されていないときは、図１０Ａに示すように、収納位置に移動させることができ、それによって、支持スタンド１７０は本体壁１１２の外向き表面に接して、または外向き表面の近傍に位置することができる。ここで、支持スタンド１７０は、本体壁１１２に接して実質的に平坦に配置することができる。同様に、延長部１６０は、非使用時（すなわち、非動作位置１０２１）、本体壁１１２の外向き表面に接して、または外向き表面の近傍に位置することができる。
【００５９】
延長部１６０および支持スタンド１７０の両方が本体壁１１２に対して収納されているとき、延長部１６０および支持スタンド１７０は、図１０Ａに示されるように、互いに実質的に平行であることができる。また、このような位置において、延長部１６０は、支持スタンド１７０の上方に配置される延長部１６０によって、支持スタンド１７０を少なくとも部分的に隠すことができるけれども、延長部１６０は必ずしも支持スタンド１７０を隠さなくともよい。
【００６０】
一方、支持スタンド１７０が支持位置１７３にあるとき、図１０Ｃに示すように、支持スタンド１７０は本体壁１１２から外向きに延びることができ、支持スタンド１７０の遠位端は、支持スタンド１７０が延長部１６０の下向き回転を防止するように、延長部１６０の下側と係合することができる。この位置では、延長部１６０と本体壁１１２との間に形成される角度は、ほぼ９０度に等しくなり得る、一方、支持スタンド１７０と本体壁１１２との間に形成される角度は、９０度未満になり得る。
【００６１】
回転可能な支持スタンド１３０とは異なり、支持スタンド１７０は、支持スタンド１７０が収納位置（例えば、図１０Ａ参照）にあるときには十分に（完全に）ヒンジで曲がり、支持スタンド１７０が支持位置（例えば、図１０Ｃ参照）にあるときには十分に（完全に）延びるように構成された、少なくとも１つのヒンジ部１７２を含むことができる。さらに、支持スタンド１７０の遠位端は、延長部１６０の下側に連結（例えば、ボルト留め）され得る。従って、支持スタンド１７０及び延長部１６０は、収納／非動作位置１０２１においてさえ、互いに連結されることができて、支持スタンド１７０は、支持スタンド１３０（図１Ａ）と延長部１２０（図１Ａ）の場合のように互いに独立して動作するのではなく、延長部１６０が動作するのと連動して自動的に動作する。
【００６２】
上記の延長部および支持スタンドの構成は、当業者によって理解されるように、任意の適切な方法で組み合わされたり、アレンジされたりされることができる、ということは理解されるべきである。例えば、ハンドル様延長部１２０は、ヒンジ付き支持スタンド１７０と係合するように、容器本体１１０上に配置することができ、及び／又は、トレー様延長部１６０は、回転支持スタンド１３０と係合するように、容器本体１１０上に配置することができる。
【００６３】
したがって、本明細書に記載される容器は、使用者が食事を準備する、器具を保管する、食品または飲料を提供する、等をすることができる取り外し可能なトレーを、しっかりと受け入れ、保持するための、内部および／または外部トレー保持部を含むことができる。容器は、延長部の重量を支持するための、収納可能な支持スタンドをさらに含むことができる。その結果、食品、飲料等を貯蔵するために容器が使用されるピクニック又は他の外出のために、使用者はトレーを容易かつ確実に運搬し、展開することができる。
【００６４】
前述の説明は、本開示の特定の実施形態に向けられている。しかしながら、説明された実施形態には、それらの利点のいくつかまたはすべてを達成する形で、他の変形および修正が行われてもよいことは明らかであろう。したがって、この説明は単に例として解釈されるべきであり、本明細書の実施形態の範囲を別様に限定するものではない。したがって、本明細書の実施形態の真の精神および範囲内に入るような、すべての変形および修正を包含することが、添付の特許請求の範囲の目的である。
【図１Ａ】
2021534868.tif 000003
【図１Ｂ】
2021534868.tif 000004
【図１Ｃ】
2021534868.tif 000005
【図２Ａ】
2021534868.tif 000006
【図２Ｂ】
2021534868.tif 000007
【図３Ａ】
2021534868.tif 000008
【図３Ｂ】
2021534868.tif 000009
【図４】
2021534868.tif 000010
【図５Ａ】
2021534868.tif 000011
【図５Ｂ】
2021534868.tif 000012
【図６】
2021534868.tif 000013
【図７】
2021534868.tif 000014
【図８Ａ】
2021534868.tif 000015
【図８Ｂ】
2021534868.tif 000016
【図９Ａ】
2021534868.tif 000017
【図９Ｂ】
2021534868.tif 000018
【図１０Ａ】
2021534868.tif 000019
【図１０Ｂ】
2021534868.tif 000020
【図１０Ｃ】
2021534868.tif 000021
【国際調査報告】
2021534868.tif 000022